【事件の表示】
　特許第３０１５１８３号「ディジタル電子スチル・カメラ」の請求項１及び２に係る特許に対する特許異議の申立てについてした平成１３年３月２１日付け取消決定に対し、東京高等裁判所において取消決定取消の判決（平成１３年（行ケ）１９８号、平成１４年２月１８日判決言渡）があったので、さらに審理の上、次のとおり決定する。
【結　論】
　訂正を認める。
　特許第３０１５１８３号の請求項１及び２に係る特許を維持する。
【理　由】
１．手続の経緯
　
　特許第３０１５１８３号の請求項１及び２に係る発明についての出願は、平成３年１２月１６日に特許出願され、平成１１年１２月１７日にその特許権の設定登録がなされ、その後、異議申立人寺島一明により特許異議の申立てがなされ、取消しの理由が通知され、その指定期間内である平成１３年１月１６日に訂正請求がなされたものである。
　
　
　
２．訂正の適否についての判断
　
（１）訂正の内容
　ア．訂正事項ａ
　　特許請求の範囲の請求項１に記載された、
　「上記受信手段によって受信された圧縮画像データを上記伸張手段により　データ伸張するように制御する制御手段」
　を、
　「上記受信手段によって受信された圧縮画像データを上記伸張手段により　データ伸張するようにカメラを制御する制御手段」
　とする訂正。
　
　イ．訂正事項ｂ
　　明細書の段落【０００６】に記載された
　「上記受信手段によって受信された圧縮画像データを上記伸張手段により　データ伸張するように制御する制御手段を備えていることを特徴とする」
　を、
　「上記受信手段によって受信された圧縮画像データを上記伸張手段により　データ伸張するようにカメラを制御する制御手段を備えていることを特徴　とする」
　とする訂正。
　
　
（２）訂正の目的の適否、新規事項の有無及び拡張・変更の存否
　　上記訂正事項ａは、発明を特定する事項である
　「受信手段によって受信された圧縮画像データを上記伸張手段によりデー　タ伸張するように制御する制御手段」
　を、制御する対象が何であるのかを明確にすべく、
　「受信手段によって受信された圧縮画像データを上記伸張手段によりデー　タ伸張するようにカメラを制御する制御手段」
　に変更するもので、願書に添付された明細書の、段落【００４２】【００　４３】に記載されているから、上記訂正は特許請求の範囲の減縮もしくは　明りょうでない記載の釈明を目的とした訂正に該当し、また、上記訂正事　項ｂは、上記訂正事項ａと整合を図るものであるから、明りょうでない記　載の釈明に該当する。そして、上記訂正事項ａ及びｂのいずれも、新規事　項の追加に該当せず、実質的に特許請求の範囲を拡張又は変更するもので　ない。 
　
　
（３）むすび
　　以上のとおりであるから、上記各訂正は特許法第１２０条の４第３項に　おいて準用する平成６年法律第１１６号による改正前の特許法１２６条第　１項ただし書き及び第２項の規定に適合するので、上記各訂正を認める。
　
　
　
３．特許異議の申立についての判断
　
（１）申立ての理由の概要
　　特許異議申立人寺島一明は、証拠として甲第１号証：特願平３−１２５　２６９号（特開平４−３２８９６５号公報）を提示して、本件請求項１及　び２に係る発明は、上記甲第１号証に記載された発明と実質的に同一であ　り、特許法第２９条の２の規定により特許を受けることができないもので　あるから、特許を取り消すべきと主張している。
　
　
（２）本件発明
　　上記２．で示したように上記訂正が認められるから、本件請求項１及び　２に係る発明（以下「本件発明１」及び「本件発明２」という。）は、上　記訂正請求に係る訂正明細書の特許請求の範囲の請求項１及び２に記載さ　れた事項により特定される次に掲げるとおりのものである。
　
　「【請求項１】カメラに設けられた第１のコネクタに接続された記録媒体　　から圧縮画像データを読取りデータ伸張を施す伸張手段，および
　　　上記伸張手段によって伸張された画像データを再生する再生処理手段　　，を備えたディジタル電子スチル・カメラにおいて，
　　　外部装置を接続するためのカメラに設けられた第２のコネクタを通し　　て外部装置から送信される圧縮画像データを受信する受信手段，および
　　　上記受信手段によって受信された圧縮画像データを上記伸張手段によ　　りデータ伸張するようにカメラを制御する制御手段，
　　　を備えたディジタル電子スチル・カメラ。
　　【請求項２】上記伸張手段によってデータ伸張された画像データを記憶　　するメモリ，および
　　　上記メモリに記憶されている画像データを上記第２のコネクタを通し　　て外部装置に送信する送信手段，
　　　をさらに備えた請求項１に記載のディジタル電子スチル・カメラ。」
　
　
（３）先願発明
　　特許異議申立人が証拠として提示した特願平３−１２５２６９号の願書　に最初に添付された明細書又は図面（以下「先願明細書」という。）には　、本件発明１との対比において、図面とともに次に掲げる発明（以下「先　願発明」という。）が記載されている。
　
　ａ．「本発明の目的は、記録媒体に記録されている画像データのコピー、　　転送処理を高効率且つ高品質で行えるようにした情報処理装置を提供す　　ることにある」（公開公報２頁２欄４５ないし４８行）
　ｂ．「図１は、本願発明による情報処理装置の一実施例を示し電子スチル　　カメラへの適用例の構成ブロック図である。合焦制御されたレンズ１を　　介してＣＣＤ２に結像された被写体像は、ＣＣＤ２により電気画像信号　　に変換されて撮像プロセス回路３に供給される。・・・（中略）・・・　　撮像プロセス回路３からの画像信号は、Ａ／Ｄコンバータ（ＡＤＣ）４　　でデジタル信号（画像データ）に変換され、スイッチ５を介してＲＡＭ　　６に記録される。ＲＡＭ６から、ブロック単位で読み出された画像デー　　タ（例えば８×８ピクセルの画像データ）は、スイッチ７を介して圧縮　　／伸張回路８に送出される。」（公開公報３頁３欄２３ないし３５行）
　ｃ．「圧縮／伸張回路８で圧縮され、符号化された画像データは、スイッ　　チ１０およびカードインタフェース回路１１を介してＳＲＡＭ等のＩＣ　　カード１２に例えばＤＯＳフォーマットで記録される。スイッチ５、７　　および１０、符号化制御回路９、カードインタフェース回路１１等を含　　め、カメラ全体の動作は、システム制御回路１３により制御されている　　。・・・また、外部機器インタフェース部１５は、システム制御回路１　　３を介してパソコン等の外部機器に対するデータの入出力を行うもので　　、圧縮後の画像データや伸張後の画像データ等のデータの授受が行われ　　、例えばＲＳ２３２ＣやＳＣＳＩフォーマットでの信号授受が行われる　　。」（公開公報３頁３欄４５行ないし４欄９行）
　ｄ．「ＩＣカード１２に記録された画像を再生する場合は、スイッチ７と　　１０は、記録時と同じ状態に設定され、スイッチ５の設定状態を切り替　　える。その動作は、ＩＣカード１２からカードインタフェース回路１１　　を介して読み出された画像データは、スイッチ１０を通り圧縮／伸張回　　路８で上述圧縮処理とは逆の処理である伸張処理が施された後、スイッ　　チを介して、ＲＡＭ６に記録される。」（公開公報３頁４欄１０ないし　　１７行）
　ｅ．「ＲＡＭ６からは、システム制御回路１３から供給される読出アドレ　　ス信号に基づいて１枚の画像データが読み出され、スイッチ５を介して　　再生プロセス回路１６に供給される。再生プロセス回路１６で線形補間　　処理等の処理が施された画像データは、Ｄ／Ａコンバータ１７でアナロ　　グ信号に変換されて、ディスプレイに映像信号として出力される。」
　　（公開公報３頁４欄１７ないし２３行）
　ｆ．「本発明による情報処理装置では、記録媒体内の圧縮されたデータと　　しての記録内容をコピー、転送する際に、記録媒体から読み出したデー　　タを伸張処理せず、圧縮データのまま転送しているので、高効率且つ高　　品質でのコピー、転送処理が可能となる」（公開公報４頁５欄２５行な　　いし６欄３行）
　
　
（４）対比・判断
　ア．本件発明１と先願発明との対比・判断
　　　本件発明１と先願発明とを対比すると、両発明はともにディジタル電　　子スチルカメラに係るものであるところ、本件発明１の構成要素である　　「外部装置を接続するためのカメラに設けられた第２のコネクタを通し　　て外部装置から送信される圧縮画像データを受信する受信手段，および　　上記受信手段によって受信された圧縮画像データを上記伸張手段により　　データ伸張するようにカメラを制御する制御手段」に相当する構成につ　　いて、先願明細書に明文の記載がない点で両発明は相違する（相違点）
　
　　　上記相違点について検討する。
　
　　　先願明細書には、「外部機器インタフェース部１５は、システム制御　　回路１３を介してパソコン等の外部機器に対するデータの入出力を行う　　もので、圧縮後の画像データや伸張後の画像データ等のデータの授受が　　行われ」ると記載されている（上記（３）ｃ参照）。
　　　しかしながら、一般に、「データの入出力」、「データの授受」との　　用語は、必ずしも双方向でのデータのやりとりを意味するとは限らず、　　一方通行でのデータの伝送であっても、一方でデータを入力し他方から　　出力することを「データの入出力」といい、一方からデータを送信し他　　方でこれを受信することを「データの授受」と表現することも、本件の　　当業者にとって通常の用語法であって、上記記載から、先願発明が、外　　部装置から送信される圧縮画像データを受信する受信手段の構成を備え　　るものと判断することはできない。かえって、先願明細書の記載からは　　「記録媒体内の圧縮されたデータとしての記録内容をコピー、転送する　　際に、記録媒体から読み出したデータを、圧縮データのまま転送するこ　　とにより、高効率且つ高品質でのコピー、転送処理を可能とする」（上　　記（３）ａ及びｆ参照）という目的及び効果が認められるところ、この　　ような目的及び効果からすると、先願発明、特にその特許請求に係るも　　のにおいては、カメラ内の記憶媒体内のデータを外部機器に転送すると　　いう方向でのデータのやりとりが意図されていることは明らかであって　　、外部装置から送信される圧縮画像データを受信する受信手段を有しデ　　ータを双方向に伝送する構成が当然予定されていると見ることはできな　　い。しかも、電子スチルカメラにおいて、カメラ本体からパソコン等の　　外部機器に圧縮された画像データを伝送するという技術は、周知慣用の　　ものにすぎないと認められるが、これと逆に、外部機器から画像データ　　をカメラ本体に取り込んだ上、これを再生処理するという使用形態が、　　先願明細書に係る特許出願当時、慣用的に行われていたと認めるに足り　　る証拠もない。
　　　そうすると、先願明細書の上記記載は、外部装置から送信される圧縮　　画像データを受信する受信手段の構成を示すものということはできず、　　したがって、当該受信手段によって外部機器から入力された画像データ　　を圧縮／伸張回路８によりデータ伸張するようにカメラを制御する構成　　を示唆するものともいえない。
　　　また、先願明細書の図１の記載を参酌しても、外部装置から圧縮画像　　データが受信され圧縮／伸張回路８によりデータ伸張されるというデー　　タの流れを一義的に読み取ることはできない。
　　　よって、本件発明１の「外部装置を接続するためのカメラに設けられ　　た第２のコネクタを通して外部装置から受信される圧縮画像データを受　　信する受信手段、および上記受信手段によって受信された圧縮画像デー　　タを上記伸張手段によりデータ伸張するようにカメラを制御する制御手　　段」に相当する構成については、先願明細書に、明示的な記載がないこ　　とはもとより、実質的な開示があるということもできない。
　
　　　したがって、本件発明１と先願発明とは実質的に同一であるとはいえ　　ない。
　
　イ．本件発明２について
　　　本件発明２は、本件発明１をさらに限定したものである。そして、上　　記検討のように、本件発明１は先願発明と実質的に同一ではない。した　　がって、本件発明２についても先願発明と実質的に同一であるというこ　　とはできない。
　
　
（５）むすび
　　以上のとおりであるから、特許異議の申立ての理由及び証拠によっては　、本件請求項１及び２に係る特許を取り消すことはできない。
　　また、他に本件請求項１及び２に係る特許を取り消すべき理由を発見し　ない。
　　よって、結論のとおり決定する。
【異議決定日】
平成１３年３月２１日（２００１．３．２１）
【訂正の要旨】
訂正の要旨
▲１▼訂正事項ａ
　特許請求の範囲の請求項１の
「上記受信手段によって受信された圧縮画像データを上記伸張手段によりデータ伸張するように制御する制御手段，」を，
　明瞭でない記載の釈明を目的として，
「上記受信手段によって受信された圧縮画像データを上記伸張手段によりデータ伸張するようにカメラを制御する制御手段，」と訂正する。
▲２▼訂正事項ｂ
　訂正前の明細書の段落番号【０００６】の
「上記受信手段によって受信された圧縮画像データを上記伸張手段によりデータ伸張するように制御する制御手段，」を，
　明瞭でない記載の釈明を目的として，
「上記受信手段によって受信された圧縮画像データを上記伸張手段によりデータ伸張するようにカメラを制御する制御手段，」と訂正する。
（５４）【発明の名称】
ディジタル電子スチル・カメラ
（５７）【特許請求の範囲】
　【請求項１】　カメラに設けられた第１のコネクタに接続された記録媒体から圧縮画像データを読取りデータ伸張を施す伸張手段，および
　上記伸張手段によって伸張された画像データを再生する再生処理手段，
　を備えたディジタル電子スチル・カメラにおいて，
　外部装置を接続するためのカメラに設けられた第２のコネクタを通して外部装置から送信される圧縮画像データを受信する受信手段，および
　上記受信手段によって受信された圧縮画像データを上記伸張手段によりデータ伸張するように
カメラを
　を備えたディジタル電子スチル・カメラ。
　【請求項２】　上記伸張手段によってデータ伸張された画像データを記憶するメモリ，および
　上記メモリに記憶されている画像データを上記第２のコネクタを通して外部装置に送信する送信手段，
　をさらに備えた請求項１に記載のディジタル電子スチル・カメラ。
【発明の詳細な説明】
　【０００１】
　【産業上の利用分野】
　この発明はディジタル電子スチル・カメラに関する。
　【０００２】
　【従来の技術】
　ディジタル電子スチル・カメラは，撮像した被写体を表わすアナログ映像信号をディジタル画像データに変換し，データ圧縮を施してメモリ・カードなどの記録媒体に記録するカメラである。
　【０００３】
　メモリ・カードに記録されている画像データをパーソナル・コンピュータを用いて加工し，メモリ・カードに記録されている画像データによって表わされる画像と異なる画像を得ようとするときはディジタル電子スチル・カメラからメモリ・カードを取り外し，取り外したメモリ・カードがパーソナル・コンピュータに装着される。
　【０００４】
　【発明が解決しようとする課題】
　メモリ・カードに記録されている画像データは圧縮されているため，メモリ・カードがパーソナル・コンピュータに装着された場合はパーソナル・コンピュータにおいてデータ伸張を施して画像データの加工処理が行なわれる。データ伸張処理はソフトウェアによって行なうこともできるが，ソフトウェアに対する負荷が大きくなり過ぎるため通常はパーソナル・コンピュータに伸張回路を設けることによりデータ伸張処理を行なっている。しかしながら伸張回路は高価なためパーソナル・コンピュータの低廉化を図ることが困難となってしまう。
　【０００５】
　この発明は，外部から送信される圧縮画像データを受信して，ディジタル電子スチル・カメラに含まれている伸張回路を用いてデータ伸張を施して外部に送信することができるようにすることを目的とする。
　【０００６】
　【課題を解決するための手段】
　この発明は，カメラに設けられた第１のコネクタに接続された記録媒体から圧縮画像データを読取りデータ伸張を施す伸張手段，および上記伸張手段によって伸張された画像データを再生する再生処理手段を備えたディジタル電子スチル・カメラにおいて，外部装置を接続するためのカメラに設けられた第２のコネクタを通して外部装置から送信される圧縮画像データを受信する受信手段，および上記受信手段によって受信された圧縮画像データを上記伸張手段によりデータ伸張するように
カメラを
　【０００７】
　好ましい実施態様においては，ディジタル電子スチル・カメラは上記伸張手段によってデータ伸張された画像データを記憶するメモリ，および上記メモリに記憶されている画像データを上記第２のコネクタを通して外部装置に送信する送信手段をさらに備えている。
　【０００８】
　【作用】
　この発明によると，外部装置から送信され，第２のコネクタを通して受信手段により受信された圧縮画像データは，ディジタル電子スチル・カメラに備えられている伸張手段を利用してデータ伸張される。伸張された画像データはメモリに記憶される。メモリの画像データは必要に応じて送信手段および第２のコネクタを介して外部装置に送信される。
　【０００９】
　【発明の効果】
　この発明によると，第２のコネクタに接続された外部装置から送信される圧縮画像データが受信され，ディジタル電子スチル・カメラに備えられている伸張手段を利用してデータ伸張される。外部装置において伸張回路を設けなくとも伸張された画像データが得られる。外部装置において伸張回路を設ける必要がないので，外部装置の低廉化も図ることができる。
　【００１０】
　【実施例】
　図１はこの発明の実施例を示すもので，ディジタル電子スチル・カメラの電気的構成を示すブロック図である。
　【００１１】
　ディジタル電子スチル・カメラ２０の全体の動作は全体制御部１０によって統括される。全体制御部１０は図示しない制御スイッチの押下げにより生じる制御信号が入力することにより，または外部装置３１から送信されてくる制御信号が入力することにより，それぞれの制御信号に応じた処理を行なうものである。
　【００１２】
　ディジタル電子スチル・カメラ２０は撮像した被写体像を表わすデータをデータ圧縮してメモリ・カードに記録する撮影処理，メモリ・カード３０に記録された圧縮データを伸張してビューファインダ２５またはモニタ表示装置３２に表示する再生処理のほかに圧縮データもしくは圧縮されていない画像データを外部装置３１に送信するまたは外部装置３１から送信されてくる圧縮データ，圧縮されていない画像データもしくは制御データを受信する通信処理の機能を有している。このためディジタル電子スチル・カメラ２０にはメモリ・カードおよび通信インターフェイス４０および送受信回路６０が含まれている。メモリ・カードおよび送信インターフェイス４０には，コネクタ７１を介してメモリ・カード３０が接続可能であり，送受信回路６０にはコネクタ７２を介して外部装置３１が接続可能である。
　【００１３】
　被写体像は結像レンズ１１によってＣＣＤ１２上に結像される。ＣＣＤ１２から被写体像を表わすアナログ映像信号が出力され前処理回路１３に与えられる。
　【００１４】
　前処理回路１３は入力するアナログ映像信号の増幅などの処理を行なう回路である。前処理回路１３から出力されるアナログ映像信号はＡ／Ｄ変換回路１４に与えられディジタル画像データに変換される。
　【００１５】
　前処理回路１３から出力されるアナログ映像信号は切換スイッチ２４を介してビューファインダ２５にも与えられる。このとき切換スイッチ２４はａ端子側が導通状態とされ，前処理回路１３から出力されるアナログ映像信号がビューファインダ２５に与えられることにより被写体像がビューファインダ２５上に表示される。
　【００１６】
　Ａ／Ｄ変換回路１４によって変換されたディジタル画像データはメモリ・コントローラ１５の制御の下に，一旦フレーム・メモリ１６に記憶される。フレーム・メモリ１６に記憶されたディジタル画像データは輝度データ／色データ（Ｙ／Ｃ）処理回路２１に与えられ画素補間が行なわれる。画素補間が行なわれたディジタル画像データは再びフレーム・メモリ１６に与えられ記憶される。
　【００１７】
　フレーム・メモリ１６に記憶されたディジタル画像データは再び読出され，圧縮伸張回路１７に与えられる。圧縮伸張回路１７はハフマン符号化，ランレングス符号化によりデータ圧縮する処理および圧縮されたディジタル画像データを伸張する処理を行なう回路である。圧縮伸張回路１７によってデータ圧縮されたディジタル画像データはメモリ・カードおよび通信インターフェイス４０を介してメモリ・カード３０に与えられ，所定の領域に記録される。
　【００１８】
　メモリ・カード３０に記録されたディジタル画像データを再生するときには，ディジタル画像データがメモリ・カード３０から読出され，メモリ・カードおよび通信インターフェイス４０を経て圧縮伸張回路１７に与えられる。圧縮伸張回路１７によってデータ伸張が行なわれるとメモリ・コントローラ１５の制御の下にフレーム・メモリ１６に一旦記憶される。
　【００１９】
　フレーム・メモリ１６に一旦記憶されたディジタル画像データはフレーム・メモリ１６から読出されＹ／Ｃ処理回路２１を経てＤ／Ａ変換回路２２に与えられる。Ｄ／Ａ変換回路２２によってアナログ変換処理が行なわれアナログ映像信号が得られる。アナログ映像信号は後処理回路２３に与えられる。
　【００２０】
　後処理回路２３によってアナログ映像信号が増幅されて出力される。ディジタル電子スチル・カメラ２０はモニタ表示装置３２を接続することができ，ビューファインダ２５のほかにモニタ表示装置３２によっても画像を表示することができる。再生のときは制御スイッチ２４はｂ端子側が導通状態とされる。これにより再生画像がビューファインダ２５およびモニタ表示装置３２に表示される。
　【００２１】
　ディジタル電子スチル・カメラ２０は外部装置３１と画像データの通信を行なう機能も備えている。
　【００２２】
　メモリ・カード３０に記録されている圧縮画像データを外部装置３１に送信するときには，メモリ・カード３０に記録されているディジタル画像データが読取られ，メモリ・カードおよび通信インターフェイス４０および送受信回路６０を介して外部装置３１に与えられる。外部装置３１から送信される圧縮画像データをメモリ・カード３０に記録するときにはディジタル画像データが送受信回路６０を経てディジタル電子スチル・カメラ２０に取込まれ，メモリ・カードおよび通信インターフェイス４０を介してメモリ・カード３０に与えられて記録される。
　【００２３】
　ディジタル電子スチル・カメラ２０は外部装置３１との間において圧縮されていない画像データの送受信を行なうこともできる。
　【００２４】
　フレーム・メモリ１６に記憶されている画像データを外部装置３１に送信するときには，メモリ・コントローラ１５の制御の下にフレーム・メモリ１６から画像データが読取られＹ／Ｃ処理回路２１に与えられる。画像データはＹ／Ｃ処理回路２１を経てメモリ・カードおよび通信インターフェイス４０を介して送受信回路６０に与えられる。画像データは送受信回路６０から外部装置３１に送信されることとなる。外部装置３１から送信される画像データをフレーム・メモリ１６に記憶するときは，画像データが送受信回路６０において受信されメモリ・カードおよび通信インターフェイス４０およびＹ／Ｃ処理回路２１を経てメモリ・コントローラ１５の制御の下にフレーム・メモリ１６に与えられる。
　【００２５】
　また外部装置３１から送信される制御データを受信することもでき，制御データは送受信回路６０およびメモリ・カードおよび通信インターフェイス４０を経て全体制御部１０に与えられる。全体制御部１０に制御データが与えられるとこの制御データに応じた処理がなされるようになる。
　【００２６】
　図２にメモリ・カードおよび通信インターフェイス４０の電気的構成を表わすブロック図が示されている。
　【００２７】
　メモリ・カードおよび通信インターフェイス４０はデータが双方向に転送可能な双方向バッファ４１，４２および４３，データ・セレクタ４４，４５および４８，データ・セレクタ４４，４５および４８によるデータの選択を制御する制御部４６，制御データの解析および制御データの発行を行なうパラメータ・レジスタ４７ならびにバッファ・メモリ４９および５０を備えている。
　【００２８】
　メモリ・カードおよび通信インターフェイス４０にはさらに，ヘッダにもとづいてデータを転送するためにデータを一旦蓄積するパケット・バッファ・メモリ５１，このパケット・バッファ・メモリ５１を制御するメモリ制御部５２，送信データ・バッファ５３，受信データ・バッファ５４，パラレル／シリアル（Ｐ／Ｓ）変換回路５５，シリアル／パラレル（Ｓ／Ｐ）変換回路５６ならびに送信データ・バッファ５３，受信データ・バッファ５４，Ｐ／Ｓ変換回路５５およびＳ／Ｐ変換回路５６を制御する通信制御部５７を備えている。
　【００２９】
　メモリ・カードおよび通信インターフェイス４０において，撮影された被写体像をデータ圧縮してメモリ・カード３０に記録する場合には圧縮伸張回路１７から出力される圧縮データは双方向バッファ４３に与えられる。この圧縮データは双方向データ・セレクタ４５および４４を介して双方向バッファ４２に与えられメモリ・カード３０に入力することにより圧縮データの記録が行なわれる。
　【００３０】
　またメモリ・カード３０に記録された画像データを再生してモニタ表示装置３２に表示するときには，メモリ・カード３０に記録された圧縮データが読取られ双方向バッファ４２に与えられる。この圧縮データは双方向データのセレクタ４４および４５を介して双方向バッファ４３に与えられ，圧縮伸張回路１７に与えられてデータ伸張される。その後は上述のように再生処理されモニタ表示装置３２に可視表示される。
　【００３１】
　メモリ・カード３０に記録されている圧縮データを外部装置３１に送信するときは，メモリ・カード３０から圧縮データが読取られ，双方向バッファ４２に与えられる。この圧縮データは双方向データ・セレクタ４４，データ・セレクタ４８を経てバッファ・メモリ４９に一旦蓄積される。圧縮データはバッファ・メモリ４９から読出されパケット・バッファ・メモリ５１に与えられる。このパケット・バッファ・メモリ５１において一旦蓄積され，データのヘッダにもとづいて転送先が定まる。パケット・バッファ・メモリ５１に一旦蓄積されたデータは送信データ・バッファ５３に与えられてＰ／Ｓ変換回路５５に入力する。Ｐ／Ｓ変換回路５５においてパラレル・データからシリアル・データに変換されて送受信回路６０に与えられる。送受信回路６０から外部装置３１に与えられる。
　【００３２】
　また外部装置３１から圧縮データが与えられるときには送受信回路６０を経てＳ／Ｐ変換回路５６に入力する。Ｓ／Ｐ変換回路５６においてパラレル・データに変換されて，受信データ・バッファ５４を経てパケット・バッファ・メモリ５１に一旦蓄積される。圧縮データはパケット・バッファ・メモリ５１から読出されバッファ・メモリ５０に与えられ双方向データ・セレクタ４４および双方向バッファ４２を経てメモリ・カード３０に与えられて記録される。
　【００３３】
　ディジタル電子スチル・カメラ２０は圧縮されていない画像データを外部装置３１との間で送受信することもできる。
　【００３４】
　フレーム・メモリ１６に記憶されている画像データを外部装置３１に送信する場合には，フレーム・メモリ１６から画像データが読取られＹ／Ｃ処理回路２１を経てメモリ・カードおよび通信インターフェイス４０の双方向バッファ４１に与えられる。画像データは双方向バッファ４１を経て，圧縮データの送信と同じようにデータ・セレクタ４８，バッファ・メモリ４９，パケット・バッファ・メモリ５１，送信データ・バッファ５３およびＰ／Ｓ変換回路５５を介して送受信回路６０に与えられる。この送受信回路６０から外部装置３１に画像データが送信されることとなる。
　【００３５】
　また外部装置３１から送信される画像データを受信し，フレーム・メモリ１６に記憶するときには，画像データは送受信回路６０において受信されメモリ・カードおよび通信インターフェイス４０のＳ／Ｐ変換回路５６に与えられる。Ｓ／Ｐ変換回路５６においてパラレル・データに変換された画像データは受信データ・バッファ５４，パケット・バッファ・メモリ５１，バッファ・メモリ５０および双方向バッファ４１を経て出力されＹ／Ｃ処理回路２１に与えられる。そしてＹ／Ｃ処理回路２１からフレーム・メモリ１６に与えられ記憶される。
　【００３６】
　さらにディジタル電子スチル・カメラ２０は外部装置３１から出力される制御データを受信し，カメラ２０の全体制御部１０に与えることもできる。制御データが全体制御部１０に入力すると入力した制御データに応じた処理がカメラ２０において行なわれる。
　【００３７】
　外部装置３１から出力される制御データは送受信回路６０において受信されメモリ・カードおよび通信インターフェイス４０のＳ／Ｐ変換回路５６に与えられる。制御データはＳ／Ｐ変換回路５６から受信データ・バッファ５４，パケット・バッファ・メモリ５１，バッファ・メモリ５０を経てパラメータ・レジスタ４７に与えられる。パラメータ・レジスタ４７によって制御データが解析され，解析された内容が全体制御部１０に与えられる。全体制御部１０によって解析された内容に応じてデータの転送処理などの処理が遂行される。
　【００３８】
　全体制御部１０において解析された内容が入力されると応答メッセージを表わすデータが出力されパラメータ・レジスタ４７に与えられる。応答メッセージを表わすデータは，データ・セレクタ４８，バッファ・メモリ４９，パケット・バッファ・メモリ５１，送信データ・バッファ５３およびＰ／Ｓ変換回路５５を経て送受信回路６０に与えられる。送受信回路６０から外部装置３１に応答メッセージを表わすデータが送信される。これにより外部装置３１において送信した制御データがディジタル電子スチル・カメラ４０において受信したことが認識される。
　【００３９】
　ディジタル電子スチル・カメラ２０においてメモリ・カードおよび通信インターフェイス４０および送受信回路６０を設けたことにより上述のように外部装置３１との間においてデータの送受信が可能となる。これによりたとえばディジタル電子スチル・カメラ２０において撮像した被写体像を表わす圧縮画像データを外部装置３１に送信し，外部装置３１において一旦ファイリング処理を行ない，その後伸張された画像データを受信して加工しディジタル電子スチル・カメラ２０に送信しデータ圧縮してメモリ・カード３０に記録することもできる。この処理を以下に述べる。
　【００４０】
　図１を参照して，被写体をＣＣＤ１２により撮像して前処理回路１３，Ａ／Ｄ変換回路１４を経てフレーム・メモリ１６に被写体を表わす画像データが与えられ，一旦記憶される。フレーム・メモリ１６に記憶された画像データはＹ／Ｃ処理回路２１，圧縮伸張回路１７，メモリ・カードおよび通信インターフェイス４０を経て圧縮データとしてメモリ・カード３０に与えられ記録される。
　【００４１】
　メモリ・カード３０に記録されている圧縮データを読出して送信するよう外部装置３１から制御データが出力され，送受信回路６０，メモリ・カードおよび通信インターフェイス４０を経て全体制御部１０に与えられる。全体制御部１０はこの制御データに応答してメモリ・カード３０に記録されている圧縮データを読出すよう制御し，圧縮データはメモリ・カードおよび通信インターフェイス４０，送受信回路６０を経て外部装置３１に与えられる。これにより外部装置３１において一旦ファイリング処理が行なわれる。
　【００４２】
　次に外部装置３１から送信される圧縮データをメモリ・カード３０に書込むよう命ずる制御データが，ディジタル電子スチル・カメラ２０の全体制御部１０に与えられる。この制御データに対する応答メッセージが全体制御部１０から外部装置３１に与えられると，外部装置３１からメモリ・カード３０に圧縮データが与えられ記録される。
　【００４３】
　さらにメモリ・カード３０に記録されている圧縮データを伸張して外部装置３１に送信することを命ずる制御データが，外部装置３０から全体制御部１０に与えられる。全体制御部１０によってこの制御データが受信されると，メモリ・カード３０に記録されている圧縮データが読出され圧縮伸張回路１７においてデータ伸張が施される。伸張された画像データはＹ／Ｃ処理回路２１，メモリ・カードおよび通信インターフェイス４０，送受信回路６０を経て外部装置３１に与えられる。
　【００４４】
　外部装置３１に伸張された画像データが与えられることにより，外部装置３１において画像データの加工処理が行なわれる。画像データの加工処理が終了すると，外部装置３１から送信される画像データを受信するよう命ずる制御データが外部装置３１からディジタル電子スチル・カメラの全体制御部１０に与えられる。この制御データに対する応答メッセージが全体制御部１０から外部装置３１に与えられると，外部装置３１から加工済の画像データが出力され送受信回路６０，メモリ・カードおよび通信インターフェイス４０，Ｙ／Ｃ処理回路２１を経てフレーム・メモリ１６に与えられ記憶される。
　【００４５】
　フレーム・メモリ１６に記憶された加工済の画像データは圧縮伸張回路１７に与えられデータ圧縮が施されてメモリ・カード３０に記録される。これによりメモリ・カード３０に加工済の圧縮画像データが記録されることとなる。
【図面の簡単な説明】
　【図１】
　この発明の実施例を示すもので，ディジタル電子スチル・カメラの電気的構成を示すブロック図である。
　【図２】
　メモリ・カードおよび通信インターフェイスの構成を示すブロック図である。
　【符号の説明】
　１０　全体制御部
　１２　ＣＣＤ
　１６　フレーム・メモリ
　１７　圧縮伸張回路
　２０　ディジタル電子スチル・カメラ
　４０　メモリ・カードおよび通信インターフェイス
　６０　送受信回路